(57)【要約】      （修正有）【課題】個人の幼児期から成長期の身長体重を測定できる身長体重計において、小型軽量化するとともに、個人の記録情報を記述できる身長体重計測記述装置を提供する。【解決手段】身長と体重が計測できる２種類の計測器を収納ケース内に設置するとともに、身長計を脱着式幅広身長計とし、余白部に身長、体重を計測した記録等を直接、記述できるようにした。【選択図】図１
2017156333.tif 000002
【特許請求の範囲】
【請求項１】
本案は、子供の成長と共に延びる身長と体重が計測できる２種類の計測器を収納ケース内に設置、身長、体重を計測した記録等を脱着式幅広身長計の上に直接、計測記録の記述ができる装置である。
本案装置は脱着式幅広身長計と体重計が収納ケース内に設置され、そのため同時目視計測ができ、脱着式幅広身長計はゼンマイバネ（渦巻きバネとも言う。）等の力で巻き取られ収納ケース内に収まる構造で、計測時は幅広身長計を伸ばし、着脱式カーソルで正確な高さで計測しカーソルに沿い筆記具でラインを引きして幅広身長計の余白部分に計測した記録等を記述ができ幼児期から成長期、青年期の記録保存ができる身長体重計測記述装置である。
【請求項２】
本案装置の、着脱式幅広身長計はゼンマイバネ、ゴム、プラスチックバネ等の巻き取る力で収納され収納ケース内に体重計と共に配置小型化され持ち運びが簡単で、計測時に線引きした身長ライン上には年月日、氏名、年齢、体重等の記述記録できる余白幅を有し、着脱式幅広身長計の素材は薄く軽く伸び縮みしない丈夫で変色もしない素材を有した身長体重計測記述装置である。
【請求項３】
本案装置の計測設置は室内のドア、柱、壁等に掛けるが、柱や壁に釘などで傷つけたくないときは室内ドアを開け上部に、はめ込み型のフック等で傷は回避でき、収納ケース内に収納された脱着式幅広身長計の先端部からゼロ起点まで引き出して先端部をフック等に吊り下げ、脱着式カーソルを取り付けしてライン引き等の記述ができ、身長計測を行う身長体重計測記述装置である。
【請求項４】
本案装置の収納ケース内には、着脱式幅広身長計と体重計も設置されており収納ケースの上蓋を取り付けて、体重も身長も同時に目視計測することができ、即座に幅広身長計の余白部分に記録を記述することができる身長体重計測記述装置である。
【発明の詳細な説明】
【技術分野】
【０００１】    本案装置は、長期保存を目的に記録記述できる脱着式幅広身長計は劣化破損等を考慮した収納ケース内に体重計と共に設置されている。着脱可能な幅広身長計は子供の幼児期から青年期の年月日、氏名、年齢、身長、体重等を脱着式幅広身長計のカーソルに沿い正確な高さの線引きができ余白部分に記録記述できる十分な幅を持ち、その成長記録が親から子供へそして孫への長期間の保存を目指したものである。
【背景技術】
【０００２】    本案装置は、学校等で一般的に使っている支柱型の身長計とは違い、本案の幅広身長計の幅は１５ｃｍ前後と広く素材は伸び縮みしない丈夫で劣化に強い薄い金属素材や化学繊維や布、紙、プラスチック等の素材の複合素材等で長さは室内ドア寸法以内で収め、通常は収納ケース内でゼンマイバネ（渦巻きバネとも言う。）、ゴム、プラスチックバネ等でロール状に自動的に巻き取られ、幅広身長計を兄弟別に取外し交換できる構造である。【０００３】    計測設置場所は、室内のドア、柱、壁等に釘やフックを取り付けて使うが、傷を付けたくないときはドアを開け上部に嵌め込み型のフックを取付け、ケースに収納された幅広身長計の先端部から引き出し、計測数字がゼロ起点で停止するまで引き出し、先端部のゴム紐等をドア上部フックに結び固定させる、幅広身長計の表側に磁石付きＬ型カーソルで裏側は金属板を使い磁力で結合され、カーソルは幅広身長計の表面を上下に移動し計測する。【０００４】    学校等の身長計は計測時に読み取り別紙などに書き取りますが、本案の幅広身長計は直接カーソルで計測した位置にラインを引き年月日、氏名、年齢、身長、体重等の個人の書き込みができ巻取り方式で交換もでき成長記録の保存ができる身長体重計測記述装置である。【０００５】    本案装置の脱着式幅広身長計に記述された記録はゼンマイバネ等で自動で収納ケースに収まりロール状に巻取るため、外気や紫外線等に当たらず劣化も少なく長期間の記録保存には最適な収納構造である。【０００６】    本案装置の収納ケース内には小型軽量化された脱着式幅広身長計と体重計が設置され計測時には収納ケースに上蓋を取り付け、脱着式幅広身長計を取り付け配置して脱着式カーソルで計測し、目視で体重を読み取り脱着式幅広身長計の余白部分に記録記述ができる身長体重計測記述装置である。
【先行技術文献】
【特許文献】
【０００７】
【非特許文献】
【０００８】
【発明の概要】
【発明が解決しようとする課題】
【０００９】      従来の身長体重計が同時計測できる装置はデジタル化され、医療関係や学校等で使い、個人用ではなく不特定多数を対象にしたものであり、大きくて重く手軽に持ち運びができない、身長計に直接個人の記録を記述することはできない、簡易型では子供の身長記録用に木製、紙、プラスチック等を壁等に掛けたり貼ったりして身長記述できる簡単な身長計はあるが体重計と身長計が設置されたものはなく、本装置は小型軽量化した収納ケース内に体重計設置と記述ができる脱着式幅広身長計が設置され同時計測記述を容易にしたものである。
本発明は、上記問題点を解決することを目的とする。
【課題を解決するための手段】
【００１０】      上記目的を達成するため、本発明は小型軽量化した個人用で子供の成長記録を長期間の保存を考慮し、収納ケース内に体重計設置と脱着式幅広身長計を設置し脱着式幅広身長計はゼンマイバネで自動巻取り収納保存され外気に触れることなく長期保存が容易である。
計測時には、ドア、柱、壁等の前に本発明装置を置き、収納されている幅広身長計の先端部を持ちゼロ起点まで引き出し、取り付けた先端部をフックに掛けたるみを調整して、着脱式カーソルを取付けして計測可能となる、体重計はＩＣが組み込まれた液晶画面は太陽電池なので、脱着式幅広身長計が収納状態でも体重計測が可能である。
脱着式幅広身長計は着脱が簡単であり、兄弟が多い場合には体重や背比べも良いが、個別に脱着式幅広身長計を持つことで大人になった時でも保存された記録記念となり、更には子供が出来た時には親子二代の同時期の体重、背比べができることも特徴としたものである。
【発明の効果】
【００１１】      本案装置は、収納ケース内に設置されたＩＣが組み込まれた液晶画面の体重計とゼンマイバネで収納された脱着式幅広身長計を伸ばして、ドア、柱、壁等に掛け、永久磁石の付いたカーソルをセットして子供の体重、身長を同時に計測して成長記録を脱着式幅広身長計に記述保存ができる装置である。
【図面の簡単な説明】
【００１２】
【図１】本発明装置の構造説明図である。
【図２】本発明装置をドアに取付けた正面説明図である。
【図３】本発明装置をドアに取付けた横面説明図である。
【図４】着脱式幅広身長計が巻取られた説明図である。
【図５】着脱式カーソルが取外した説明図である。
【発明を実施するための形態】
【００１３】    以下に本発明の構成を添付した図面参照して詳細に説明する。
本案装置は、収納ケース４、４ａ内に体重計を測定するＩＣプリント基板２４の上には太陽電池２６ａと体重を表示する液晶画面２６で構成され、身長を測定する脱着式幅広身長計６、６ａは巻取り芯棒２８、２８ａに固定され、ゼンマイバネカバー８の中にあるバネの力で自動巻取りされ停止棒３２で止まり収納保存される。計測時はドア２、２ａ、柱、壁等の前に置き脱着式幅広身長計６、６ａの先端部のゴムひも２０、２０ａ等を持ちガイドローラー１２によりスムーズにゼロ起点ライン１６まで引き出され、ゴムひも２０、２０ａをフック１８、１８ａに掛け撓みや垂直になっているのかを確認して永久磁石１４、１４ａと金属板３０の付いた脱着式カーソル１０、１０ａを脱着式幅広身長計６、６ａに挟み込む形で取付けして計測準備ができ、計測は子供を収納ケース４、４ａの上に立たせ、体重計の液晶画面２６の重量を確認して脱着式カーソル１０、１０ａをスライドさせ頭頂部で止めて脱着式カーソル１０、１０ａに沿って筆記具でラインを引き脱着式幅広身長計６、６ａの余白部分に年月日、氏名、年齢、体重等を書き記録する。計測が終わり収納するには、巻き取りスピード調節ネジ２２、２２ａで巻き取りスピードを決めて、脱着式カーソル１０、１０ａを外し、ゴムひも２０、２０ａか停止棒３２を持ちフック１８、１８ａから外しゼンマイバネの力で自動的に巻き取られ停止棒３２で止まり脱着式幅広身長計６、６ａが収納ケース４、４ａに収まり記録保存される。
【実施例】
【００１４】    本案装置は、幼児期から成長期、青年期の２〜３人用の子供成長記述記録用であり、多くの兄弟がいる家族では１本の脱着式幅広身長計６、６ａでは計測時に各自に色分けした身長ラインと少しの書き込みと体重、背比べで楽しむことができますが、全員の子供に多くの記録情報が書けなくなると思われますので、脱着式幅広身長計６、６ａは脱着式が簡単にできるので一人が個々に保有することができます。脱着式幅広身長計６、６ａを一人が個々に保有することで幼児期から青年期、までの多くの記録が保存されていれば、独立結婚して自身の子供が誕生した時に、同時期の身長、体重等が比較でき大変貴重な個人記録資料として喜ばれる発明である。家族の記録記載シール３４、３４ａで家族全員の生年月日、身長、体重等を記載しておくと計測するたびに、子供の頃や家族全員の思い出が蘇り記録保存の大切さを知る装置である。
【産業上の利用可能性】
【００１５】
【符号の説明】
【００１６】２      ドア
２ａ    ドア
４      収納ケース
４ａ    収納ケース
６      脱着式幅広身長計
６ａ    脱着式幅広身長計
８      ゼンマイバネカバー
１０    脱着式カーソル
１０ａ  脱着式カーソル
１２    ガイドローラー
１４    永久磁石
１４ａ  永久磁石
１６    ゼロ起点
１８    フック
１８ａ  フック
２０    ゴムひも
２０ａ  ゴムひも
２２    巻取り調整ネジ
２２ａ  巻取り調整ネジ
２４    ＩＣプリント基板
２６    液晶画面
２６ａ  太陽電池
２８    巻取り芯棒
２８ａ  巻取り芯棒
３０    金属板
３２    停止棒
３２ａ  停止棒
３４    家族の記録記載シール
３６    名前記載シール
【図１】
2017156333.tif 000003
【図２】
2017156333.tif 000004
【図３】
2017156333.tif 000005
【図４】
2017156333.tif 000006
【図５】
2017156333.tif 000007